(57)【特許請求の範囲】
【請求項１】
機体内に設けられ、前面に商品を装填する為の開口部を有する商品収納枠を複数並べて形成した商品収納枠列と、
この商品収納枠列の前面開口部を閉塞可能に設けられた開閉板と、
前記商品収納枠列の側面に上下方向に延在して設けられ、前記開閉板の上端側縁部に設けられた支持手段を摺動自在に係合して前記開閉板を上下方向にスライド可能に案内する案内部と、
前記商品収納枠列に設けられて該商品収納枠列の前面開口部を閉塞する位置に位置付けられた前記開閉板の下端部に係合して該開閉板を保持するストッパ手段とを備えたことを特徴とする自動販売機の商品収納装置。
【請求項２】
前記支持手段は、前記開閉板の上端側縁部に設けられたスライド軸であって、前記案内部は上記スライド軸の端部を摺動自在に係合した案内溝である請求項１記載の自動販売機の商品収納装置。
【請求項３】
前記ストッパ手段は、前記開閉板の下端部に設けられたストッパ軸と、前記商品収納枠列の側面に形成され、前記開閉板が前記前面開口部を閉塞する位置まで持ち上げられた状態において前記ストッパ軸と係合して該ストッパ軸と係合して前記開閉板の下降を阻止する切欠き溝とからなることを特徴とする請求項１記載の自動販売機の商品収納装置。
【請求項４】
前記開閉板の前面に、前記商品収納枠内に収納された商品の確認窓を設けたことを特徴とする請求項１〜３のいずれかに記載の自動販売機の商品収納装置。
【発明の詳細な説明】
【０００１】
【発明の属する技術分野】
本発明は、自動販売機の商品収納装置に関し、特に、機体内に設けられた複数の商品収納枠の開口部を、一度に開閉することができる自動販売機の商品収納装置に関する。
【０００２】
【従来の技術】
図１に示すように、従来の自動販売機１は、その機体２の前面に扉３を備えており、この扉３は、機体２に上下一対のヒンジ９を介して開閉自在に取り付けられている。機体２内には、多数の商品収納枠列が形成されており、これらの商品収納枠列は機体２内に上下複数段にして配置されており、このように扉３を開いた状態では、機体２の前面に開口部が形成される。
【０００３】
具体的には、自動販売機１の略中央から上側部分の商品収納枠列４ａ，４ｂ，４ｃ，４ｄと下側部分の商品収納枠列４ｅ，４ｆとに分けて配置されている。
商品収納枠列には、機体２の上部右側部分に配置された第１種商品収納枠列４ａと、上部左側部分に上下２段にして配置された第２種商品収納枠列４ｂと、中央部分に位置した第１種商品収納枠列４ｃと、この第１種商品収納枠列４ｃの上部中央部に確保された空間に配置された第２種商品収納枠列４ｄとが含まれている。
【０００４】
なお、中央部分より下側には、上下２段にして商品収納枠列４ｅ，４ｆが配置されており、この商品収納枠列４ｅ，４ｆは、第２種商品収納枠列４ｂと同様なタイプのものである。商品収納枠列は、前面に開口部３１を備えた個々の商品収納枠３２を水平方向に隣接させ、その底面を商品搬出装置３３の上面によって構成されている。商品搬出装置３３の上面には、たばこ、箱詰めされた菓子などの商品Ｔが前後２列に収納されており、商品収納枠３２の奥行きは商品Ｔを前後２列に収納可能なだけの大きさに形成されている。
【０００５】
第１種商品収納枠列４ａ，４ｃの商品収納枠３２は、各商品収納枠３２の開口部３１を開閉するガイドロッド３４を備えている。このガイドロッド３４は、商品収納枠３２の開口部３１の中央を上下方向に延びて配置されており、その上下端は水平方向に一旦屈曲された後、商品収納枠３２に回動自在に支持されている。従って、ガイドロッド３４をその上下端を中心として、図１において右向きに回動させれば、商品収納枠３２の開口部３１を大きく開くことができる。
そして、機体２の扉３を開放した状態で、この機体２の開口部２１を通じて、開口部３１を開けた状態の商品収納枠３２内へ、商品Ｔの装填又は補充を行うことができる。
【０００６】
一方、第１種商品収納枠列４ｂ，４ｄ，４ｅ，４ｆの商品収納枠３２は、各商品収納枠３２の開口部３１を一度に開閉することができる一括ガイドを備えている。具体的には、この一括ガイドは商品収納枠列の両端部に回動自在に設けられており、この一括ガイドを一方の回動端まで回動させることで、商品収納枠列を構成する各商品収納枠３２の開口部３１を一度に開放することができる。この状態で商品収納枠３２に商品Ｔを補充または装填することができる。そして、一括ガイドを他方の回動端まで回動させ、各商品収納枠３２の開口部３１を一度に閉塞することで、販売待機状態とすることができる。
【０００７】
ドア３の機体２側には、第１種商品収納枠列４ａ，４ｃ、第２種商品収納枠列４ｂ，４ｄ，４ｅ，４ｆにそれぞれ対応して、払出シュート３５，３６，３７，３８，３９，４０が設けられている。
したがって、消費者が、図示しないドア３の前面に設けられた、商品見本に対応した商品選択ボタンを押すと、選択された商品Ｔを収容した商品収納枠３２の商品搬出装置３３が、商品Ｔの払出しを実行する。商品収納枠３２から排出された商品Ｔは、ドア３に設けられた払出シュート３５，３６，３７，３８，３９，４０を介して、ドア３の前面に設けられた図示しない商品取出口へと送り出される。
【０００８】
ところで、自動販売機内には可能な限り数多くの商品を収納することが要望されているが、機体２側には上下にわたり複数の商品収納枠列が設けられており、従来の自動販売機１の機体２内に、新たに商品収納枠列を設置するスペースを設けることは難しい。一方、扉３には、各商品収納枠列に対応して払出シュートが設けられているが、扉３の上部には僅かな、いわゆるデッドスペースが存在する。
そこで、図２に示すように、扉３の裏板５１に新たに商品収納枠列５を設けることで、自動販売機１内に収納することができる商品Ｔの数を増加させている。
【０００９】
この商品収納枠列５は、裏板５１に固定された背面板５２と、この背面板５２の両端を折り曲げて形成された一対の側面板５３ａ,５３ｂとからなり、側面板５３ａ,５３ｂの先端は、更に背面板５２と平行な方向に折り返されている。そし、この折り返し部分が屈曲部５３ａａ,５３ｂｂを形成している。一対の側面板５３ａ,５３ｂの間には背面板５２と平行に配置された固定板５５が設けられており、この固定板５５の両端は、それぞれ側面板５３ａ,５３ｂに固定されている。そして、この固定板５５の前面には、所定の間隔を空けて仕切板５６が側面板５３ａ,５３ｂと平行な方向に突設されており、この仕切板５６の前端には、前面固定板５７が背面板５２と平行な方向に固着されている。
【００１０】
従って、商品収納枠列５の前部は、屈曲部５３ａａ,５３ｂｂ、一対の側面板５３ａ,５３ｂ、仕切板５６，固定板５５および前面固定板５７により囲まれた商品収納枠５８を形成しており、商品収納枠列５の後部は、一対の側面板５３ａ,５３ｂ、背面板５２および固定板５５により囲まれた商品搬出路５９を形成している。そして、この商品搬出路５９は、払出シュート３５の開口部３５ａに通じている。
【００１１】
商品収納枠列５の各商品収納枠５８の下部は、底板６０により塞がれており、この底板６０の上面には各商品収納枠５８に対応して商品搬出装置６１が設けられている。各商品収納枠５８の商品搬出装置６１上には、商品Ｔが積み上げられて収納されており、商品Ｔはこの商品搬出装置６１により手前側から奥側へ一つづつ送り出される。そして、固定板５５の底板６０側に設けられた商品送出口７５ａから商品搬出路５９へ送られ、商品Ｔは商品搬出路５９から払出シュート３５の開口部３５ａへと送られる。
【００１２】
屈曲部５３ａａ,５３ｂｂと前面固定板５７の間および各前面固定板５７の間には、前面開口部６２が形成されており、この前面開口部６２により、各商品収納枠５８内に収納された商品Ｔの残量を確認することができる。なお、商品Ｔの補充または装填は、商品収納枠列５の上部に形成された上面開口部６３ａから行われる。
【００１３】
【発明が解決しようとする課題】
上述した従来の自動販売機１では、商品収納枠５８内に商品Ｔを新たに補充または装填する際には、上面開口部６３ａから作業を行う必要があった。ここで、従来の商品収納枠列５は、比較的設置スペースを容易に確保可能な扉３の裏板５１の上部に設けられていた。このため、上面開口部６３ａから商品Ｔを補充または装填する作業は、女性や老人などの背の低い作業者にとっては不便であり、このような作業者により補充または装填作業を行う際には脚立を用意したり、背の高い作業者に代わってもらう必要があった。
【００１４】
本発明はこのような従来技術の課題を解決するためになされたもので、商品収納枠内に商品を容易に補充、装填することができる自動販売機の商品収納装置を提供することを目的とする。
【００１５】
【課題を解決するための手段】
上記目的を達成するために、本発明に係る自動販売機の商品収納装置は、
<ａ>  機体内に設けられ、前面に商品を装填する為の開口部を有する商品収納枠を複数並べて形成した商品収納枠列と、
<ｂ>  この商品収納枠列の前面開口部を閉塞可能に設けられた開閉板と、
<ｃ>  前記商品収納枠列の側面に上下方向に延在して設けられ、前記開閉板の上端側縁部に設けられた支持手段を摺動自在に係合して前記開閉板を上下方向にスライド可能に案内する案内部と、
<ｄ>  前記商品収納枠列に設けられて該商品収納枠列の前面開口部を閉塞する位置に位置付けられた前記開閉板の下端部に係合して該開閉板を保持するストッパ手段と
を備えたことを特徴とする。
【００１６】
また、請求項２の発明にあっては、前記支持手段は、前記開閉板の上端側縁部に設けたスライド軸であり、このスライド軸が前記案内部に係合して摺動自在となっていることを特徴とする。
【００１７】
また、請求項３の発明にあっては、前記ストッパ手段は、前記開閉板の下端側縁部に設けたストッパ軸と、前記商品収納枠列の側面に形成され、前記開閉板が前記前面開口部を閉塞する状態のとき、前記ストッパ軸が係脱自在に係合する切欠溝とからなることを特徴とする。
さらに、請求項４の発明にあっては、前記開閉板の前面に、前記商品収納枠内に収納された商品の確認窓を設けたことを特徴とする。
【００１８】
上記構成の本発明は、商品収納枠列の側面に、上下方向に延在した案内部を備えており、この案内部には開閉板の上端側部に設けられた支持手段が摺動自在に係合している。したがって、開閉板に設けられた支持手段を、案内部に沿って上下方向に摺動させて開閉板上下方向にスライドさせるだけで、商品収納枠列の開口部をこの開閉板により開閉することができる。そして上記構成の本発明はストッパ手段を備えており、このストッパ手段は前記商品収納枠列の開口部前面に位置付けられた開閉板の下端部に係合して該開閉板の下降を阻止するので、この開閉板を商品収納枠列の開口部において閉塞状態に保持することができる。
【００１９】
また、開閉板に設けられた支持手段をスライド軸とすることで、このスライド軸を商品収納枠列に設けられた案内部に係合させ、かつ、摺動自在とすることができ、開閉板により商品収納枠列の開口部を開閉することができる。
さらに、ストッパ手段は、開閉板に設けたストッパ軸と、商品収納枠列に形成された、このストッパ軸と係脱自在に係合する切欠溝とにより構成されている。
したがって、このストッパ軸を切欠溝に係合させるだけで、商品収納枠の開口部を開閉板により閉塞した状態に維持することができる。
さらにまた、開閉板には確認窓が設けられており、この確認窓により商品収納枠内に収納された商品の残量を確認することができる。
【００２０】
【発明の実施の形態】
以下、本発明の一実施形態について図面を参照して説明する。
なお、図３から図６において、先に示した図２と同一部分には同一符号を付し、その部分の詳細な説明は省略する。
図３から図６に示すように、扉３の裏板５１には、背面板５２が固着されており、この背面板５２の両端には一対の側面板５３ａ，５３ｂが前方に向けて突設されている。この一対の側面板５３ａ，５３ｂには、背面板５２と平行に固定板５５が固着されており、一対の側面板５３ａ，５３ｂ、背面板５２および固定板５５により囲まれた商品搬出路５９を形成している。
【００２１】
商品収納枠５８が、一対の側面板５３ａ，５３ｂ、仕切板５６および固定板５５により囲まれて形成されており、この仕切板５６により区画され複数の商品収納枠５８を並べることで、商品収納枠列５が形成されている。各商品収納枠５８の前面には、商品Ｔを装填または補充するための開口部６４が形成されており、各商品収納枠５８内には商品Ｔが積み上げられた状態で収納されている。
なお、商品搬出路５９の上部は、天板６３により閉塞されているが、この商品搬出路５９の下方は、払出しシュート３５に連通している。
【００２２】
上記一対の側面板５３ａ,５３ｂは、固定板５５よりさらに前方に延在されており、この側面板５３ａ,５３ｂの側縁略中央部から上端部に掛けて所定長さの案内溝５４ａ,５４ｂが上下方向に直線状に形成されている。また、側面板５３ａ,５３ｂの側縁下端部には、鈎型の切欠溝５５ａ,５５ｂがそれぞれ形成されている。ここで、図３および図４においては、側面板５３ｂに形成された案内溝５４ｂと切欠溝５５ｂのみを図示しているが、側面板５３ａに形成される案内溝５４ａおよび切欠溝５５ａも同一形状を有する。
【００２３】
商品収納枠列５の前面には、この商品収納枠列５の開口部６４を塞ぐようにプレート状の開閉板６６が配置されている。この開閉板６６の両端縁部は、前方に折り曲げられた屈曲部６６ａ，６６ｂを形成しており、この屈曲部６６ａ，６６ｂにはそれぞれスライド軸６７ａ，６７ｂが突設されている。
【００２４】
より詳しく説明すると、スライド軸６７ａ，６７ｂは、屈曲部６６ａ，６６ｂの上方に設けられており、側面板５３ａ，５３ｂに向けて突出している。そして、このスライド軸６７ａ，６７ｂは、それぞれ側面板５３ａ，５３ｂに形成された案内溝５４ａ，５４ｂに係合している。したがって、スライド軸６７ａ，６７ｂは、それぞれ案内溝５４ａ，５４ｂに係合しつつ、この案内溝５４ａ，５４ｂ内を摺動自在に上下方向に移動することができる。
【００２５】
一方、屈曲部６６ａ，６６ｂの下方には、それぞれストッパ軸６８ａ，６８ｂが突設されており、このストッパ軸６８ａ，６８ｂは側面板５３ａ，５３ｂに向けて突出している。そして、ストッパ軸６８ａ，６８ｂは、それぞれ側面板５３ａ，５３ｂの下端側縁に形成された切欠溝５５ａ，５５ｂに係脱自在に係合している。
【００２６】
したがって、図３に示すように、商品収納枠列５の開口部６４に開閉板６６を位置付けた状態でストッパ軸６８ａ,６８ｂをそれぞれ切欠溝５５ａ,５５ｂに係合させることで、開閉板６６により商品収納枠列５の開口部６４を閉塞することができる。また、ストッパ軸６８ａ,６８ｂと切欠き溝５５ａ,５５ｂとの係合状態を開示することで、スライド軸６７ａ,６７ｂをそれぞれ案内溝５４ａ,５４ｂ内において摺動させることができる。そして、図４に示すように、案内溝５４ａ,５４ｂ内でのスライド軸６７ａ,６７ｂの摺動に伴って開閉板６６を下方に向けてスライドさせるだけで、商品収納枠列５の開口部６４を開放することができる。
【００２７】
以上のように、スライド軸６７ａ，６７ｂを案内溝５４ａ，５４ｂ内で上下方向に移動させ、かつ、ストッパ軸６８ａ，６８ｂを切欠溝５５ａ，５５ｂと係脱させることで、開閉板６６により開口部６４を開閉することができる。
以下にストッパ軸６８ｂと側面板５３ｂに設けられた切欠溝５５ｂを中心に、図５にしたがってより詳しく説明すると、ストッパ軸６８ｂと切欠溝５５ｂとが係合した状態（実線の状態）では、ストッパ軸６８ｂは切欠溝５５ｂの下端部と接触している。
【００２８】
そして、スライド軸６７ｂは、案内溝５４ｂの上端部から僅かに下方に距離Ｌ１だけ離れて位置づけられている。ここで、ストッパ軸６８ｂと切欠溝５５ｂとが係合した状態では、スライド軸６７ｂの軸心とストッパ軸６８ｂの軸心とを結ぶ直線は、案内溝５４ｂの延長線と略一致しており、切欠溝５５ｂは、案内溝５４ｂの延長線上の下方に形成されている。
【００２９】
開閉板６４により開口部６４が閉塞された状態から、開閉板６４により開口部６４を開放した状態（一点鎖線の状態）にする場合には、切欠溝５５ｂの下端部と接触しているストッパ軸６８ｂを、僅かに上方に距離Ｌ２だけ移動させ、ストッパ軸６８ｂと切欠溝５５ｂとの係合を解除する。
ここで、切欠溝５５ｂの下端部の一部は、この下端部からＬ２だけ高く凸状に形成されており、係合状態のストッパ軸６８ｂが切欠溝５５ｂから不用意に脱落するのを防止している。また、Ｌ２はＬ１よりも短く形成されているので、ストッパ軸６８ｂと切欠溝５５ｂとの係合および係合の解除を無理なく行うことができる。
【００３０】
図５に示すように、側面板５３ａ，５３ｂには、この側面板５３ａ，５３ｂの屈曲部６６ａ，６６ｂと対向する側に、回転自在にローラ７１を設けることができる。このように、ローラ７１を設けることで、このローラ７１は開閉板６６の屈曲部６６ｂと接触しつつ回転し、開閉板６６を円滑に上下方向に移動させることができる。
【００３１】
なお、開閉板６６の上縁には、水平方向にプレート６９ａが固着されており、天板６３の前縁部には、水平方向にプレート６９ｂが固着されている。このプレート６９ａとプレート６９ｂとは、ストッパ軸６８ｂと切欠溝５５ｂとが係合した状態では、僅かの間隔を空けて対向している。しかしながら、ストッパ軸６８ｂと切欠溝５５ｂとの係合を解除する際には、スライド軸６７ｂが案内溝５４ｂの上端部と接触するよりも前に、プレート６９ａとプレート６９ｂとが接触するように配置されている。
【００３２】
また、開閉板６６には、確認窓７０を形成することができる。具体的には、各確認窓７０は、商品収納枠５８に対応して設けられており、商品収納枠５８内に収納された商品Ｔがこぼれ落ちない程度の大きさに形成されている。このように、開閉板６６に確認窓７０を設けることで、開閉板６６が開口部６４を閉塞した状態に位置づけられていても、商品収納枠５８内の商品Ｔの残量を容易に確認することができる。
【００３３】
さらに、開閉板６６の下縁部には、この開閉板６６を前方に向けて折り曲げて形成した屈曲部６９ｃを設けることができ、この屈曲部６９ｃは開閉板６６を開閉する際の把手として利用することができる。ここで、屈曲部６９ｃは、図６に示すように、後述する商品搬出装置６１上に載置された商品Ｔ１の高さよりも僅かに低い位置で、商品搬出装置６１からわずかに距離を空けて設けられている。したがって、商品収納枠５８内に収納された商品Ｔのうち、商品搬出装置６１上に配置された最後の１個を容易に確認することができる。
【００３４】
各商品収納枠５８の底板６０には、前述した商品搬出装置６１が設けられており、商品Ｔはこの商品搬出装置６１上に図６に示すように積み上げられて収納されている。
商品搬出装置６１の詳細な構造の説明は省略するが、商品搬出装置６１は、図６において一点鎖線により示したような第１プッシャー６１ａ、第２プッシャー６１ｂおよび売切れ確認レバー６１ｃとを備えている。この第１プッシャー６１ａと第２プッシャー６１ｂとは図示しない電動モータにより駆動可能であり、消費者が扉１の前面に設けられた商品選択ボタンを押すと、希望の商品が収納された商品収納枠５８の商品搬出装置６１の電動モータが駆動され、第１プッシャー６１ａと第２プッシャー６１ｂとを矢印方向に回転させる。
【００３５】
ここで、商品Ｔ１と商品Ｔ２とを例にして説明すると、先ず、第１プッシャー６１ａに形成された押出爪６１ｄが、商品搬出装置６１上に載置された商品Ｔ１の背面Ｔｒが押す。そして、この第１プッシャー６１ａが、商品Ｔ１を半工程分、即ち、商品Ｔ１を約半分だけ商品送出口７５ａから突出させる。
その後、第２プッシャー６１ｂに形成された押出爪６１ｅが、第１プッシャー６１ａの押出爪６１ｄにより押し出された商品Ｔ１の背面Ｔｒを更に押し、固定板５５の底板６０側に形成された商品送出口７５ａから商品搬出路５９へと商品Ｔ１を送り出す。
【００３６】
このように、商品収納枠５８内の最下層の商品Ｔが、商品送出口７５ａから一つづつ商品搬出路５９に送り出される。そして、この商品Ｔ１は払出シュート３５を通じて、同じく扉３の前面に設けられた商品受取口へと送られ、消費者はこの商品受取口から希望の商品を入手することができる。一方、商品Ｔ１の上に積み上げられていた商品Ｔ２は、商品１個分だけ下方に移動し、搬出前の商品Ｔ１の位置、即ち、商品搬出装置６１上に位置づけられて最下層の商品Ｔ２となる。
【００３７】
なお、売切れ確認レバー６１ｃは、商品搬出装置６１から突出する方向に常時付勢されているが、商品搬出装置６１上に商品Ｔが積み上げられている際には、商品Ｔの自重により商品搬出装置６１内に没している。商品収納枠５８内の最後の商品Ｔが、商品搬出装置６１により排出されると、この売切れ確認レバー６１ｃが付勢力により商品搬出装置６１から突出し、商品搬出装置６１内に設けられたスイッチをＯＮ動作する。そして、扉３の前面に設けられた商品選択スイッチの近傍に設けられた表示板に「売り切れ」の表示をする。
【００３８】
次に、上述した自動販売機の商品収納装置の動作、作用を説明する。
図３に示すように、通常の販売待機状態においては、ストッパ軸６８ａ，６８ｂは、それぞれ切欠溝５５ａ，５５ｂに係合しており、商品収納枠列５は開閉板６６により閉塞されている。したがって、この状態においては、各商品収納枠５８の開口部６２から商品Ｔが脱落することはない。
【００３９】
なお、図５に示すように、ストッパ軸６８ａ，６８ｂと切欠溝５５ａ，５５ｂとが係合した状態（実線の状態）では、ストッパ軸６８ｂは切欠溝５５ｂの下端部と接触している。そして、スライド軸６７ｂは、案内溝５４ｂの上端部から僅かに下方に、距離Ｌ１だけ離れて位置づけられている。
【００４０】
商品Ｔを商品収納枠５８に補充または装填する際には、図３に示すように、開閉板６４により開口部６４を開放する。図５に基づいて具体的に説明すると、先ず、屈曲部６９ｃを持ち上げることで、切欠溝５５ｂの下端部と接触しているストッパ軸６８ｂを僅かに上方に、距離Ｌ２だけ移動させる。次いで、屈曲部６９ｃを僅かに前方に移動させ、ストッパ軸６８ｂと切欠溝５５ｂとの係合を解除する。Ｌ２はＬ１よりも短く形成されているので、ストッパ軸６８ｂと切欠溝５５ｂとの係合および係合の解除を無理なく行うことができる。
【００４１】
ストッパ軸６８ａ，６８ｂと切欠溝５５ａ，５５ｂとの係合を解除すると、スライド軸６７ａ，６７ｂは、それぞれ案内溝５４ａ，５４ｂ内を下方に向けて摺動しつつ移動する。そして、図５に示すように、ストッパ軸６８ａ，６８ｂが、それぞれ案内溝５４ａ，５４ｂの下端部と接触したときに、開口部６４が開閉板６６により開放される。このように、ストッパ軸６８ａ，６８ｂは、案内溝５４ａ，５４ｂ内を摺動自在であるが、両者の係合状態が常に維持されているので、開閉板６６が商品収納枠列５から脱落するおそれはない。
なお、側面板５３ａ，５３ｂにローラ７１を回転自在に設けた場合には、切欠溝５５ａ，５５ｂとストッパ軸６８ａ，６８ｂとの係脱作業を円滑に行うことができる。
【００４２】
以上の操作により開口部６４を開閉板６６により開放した後に、作業者は開口部６４から商品Ｔの補充または装填作業を行う。そして、商品Ｔの補充または装填作業の終了後には、屈曲部６９ｃを持ち上げながら、スライド軸６７ａ，６７ｂをそれぞれ案内溝５４ａ，５４ｂに沿って摺動させつつ上方に移動させる。そして、ストッパ軸６８ａ，６８ｂと切欠溝５５ａ，５５ｂとを再び係合させることで、開閉板６６により商品収納枠列５の開口部６４を閉塞することができる。
【００４３】
なお、本発明は上述した実施形態に限定されるものではなく、要旨を変更しない範囲で種々の変形または応用が可能である。例えば、本実施形態では、商品収納枠列５を扉３側に設けているが、機体２側に設置することもできる。
さらに、上述した実施形態では商品収納枠５８内に商品Ｔを１列で積み上げた場合を説明したが、商品収納枠５８の構造を前後１列に商品Ｔを積み上げる構造とすることもできる。
【００４４】
【発明の効果】
以上説明したように、請求項１の自動販売機の商品収納装置によれば、開閉板に設けられた支持手段を、案内部に沿って摺動させるだけで、商品収納枠列の開口部を開閉板により簡単に開閉することができる。また、ストッパ手段により開口部を開閉板により閉塞した状態に保持することができる。
【００４５】
また、請求項２記載の発明では、開閉板に設けられた支持手段をスライド軸としたので、このスライド軸を商品収納枠列に設けられた案内部に係合させ、かつ、摺動自在とするだけで、開閉板により商品収納枠列の開口部を円滑に開閉することができる。
【００４６】
さらに、請求項３記載の発明では、ストッパ手段を開閉板に設けたストッパ軸と、商品収納枠列に形成された、このストッパ軸と係脱自在に係合する切欠溝とにより構成したので、このストッパ軸を切欠溝に係合させるだけで、商品収納枠の開口部を開閉板により確実に閉塞することができる。
さらにまた、請求項４記載の発明では、開閉板に確認窓を設けたので、商品収納枠内に収納された商品の残量を容易に確認することができる。
【図面の簡単な説明】
【図１】従来の自動販売機のドアを開いた状態を概略的に示した斜視図である。
【図２】従来の自動販売機の商品収納装置を概略的に示した斜視図である。
【図３】本発明の実施形態に係る自動販売機の商品収納装置により商品収納枠列の開口部を閉塞した状態を概略的に示した斜視図である。
【図４】同装置により商品収納枠の開口部を開放した状態を概略的に示した斜視図である。
【図５】スライド軸と案内溝およびストッパ軸と切欠溝との位置関係を概略的に示した平面図である。
【図６】本発明の実施形態に係る自動販売機の商品収納装置により商品を送り出す様子を概略的に示した側面図である。
【符号の説明】
２    機体
３    ドア
５    商品収納枠列
５４ａ，５４ｂ    案内溝（案内部）
５５ａ，５５ｂ    切欠溝
５８    商品収納枠
６１    商品搬出装置
６４    開口部
６６    開閉板
６７ａ，６７ｂ    スライド軸（支持手段）
６８ａ，６８ｂ    ストッパ軸（ストッパ手段）
【図１】
0003634045.tif 000002
【図２】
0003634045.tif 000003
【図３】
0003634045.tif 000004
【図４】
0003634045.tif 000005
【図５】
0003634045.tif 000006
【図６】
0003634045.tif 000007